(57)【要約】【課題】  関連する通信制御方法では、ネットワーク機器の設定を変更する場合、ネットワーク機器に接続しているサーバ装置の設定も変更する必要が生じ、ネットワークの管理が煩雑になる。【解決手段】  本発明のネットワークシステムは、複数のネットワークと、複数のネットワーク間の通信を中継する通信装置、とを有し、複数のネットワークの少なくとも一つはサーバ装置を備え、複数のネットワークの少なくとも一つは複数の端末装置を備え、通信装置は、ネットワークと接続する複数のインターフェース部と、インターフェース部を識別する識別情報の設定変更を検知し、設定変更に関する情報である変更情報を前記サーバ装置に通知するサーバ情報処理部、とを備え、サーバ装置は、変更情報に基づいて、端末装置が記憶している識別情報の変更を指示する端末情報処理部を備える。【選択図】      図１
2015056842.tif 000002
【特許請求の範囲】
【請求項１】
複数のネットワークと、
前記複数のネットワーク間の通信を中継する通信装置、
とを有し、
前記複数のネットワークの少なくとも一つはサーバ装置を備え、
前記複数のネットワークの少なくとも一つは複数の端末装置を備え、
前記通信装置は、
前記ネットワークと接続する複数のインターフェース部と、
前記インターフェース部を識別する識別情報の設定変更を検知し、前記設定変更に関する情報である変更情報を前記サーバ装置に通知するサーバ情報処理部、
とを備え、
前記サーバ装置は、前記変更情報に基づいて、前記端末装置が記憶している前記識別情報の変更を指示する端末情報処理部を備える
ネットワークシステム。
【請求項２】
前記通信装置は、前記サーバ装置を一意に識別するサーバ識別情報を記憶するサーバ情報記憶部をさらに備え、
前記サーバ情報処理部は、前記変更情報を前記サーバ情報記憶部に記憶された前記サーバ識別情報に対応する前記サーバ装置に通知する
請求項１に記載したネットワークシステム。
【請求項３】
前記サーバ装置は、
前記識別情報を記憶する通信装置情報記憶部と、
前記識別情報と、前記端末装置を一意に識別する端末識別情報とを関連付けて記憶する設定情報記憶部
をさらに備え、
前記端末情報処理部は、前記変更情報に従って、前記通信装置情報記憶部に記憶されている前記識別情報を変更し、
前記識別情報と関連付けて記録されている前記端末識別情報を有する前記端末装置が記憶している前記識別情報の変更を指示する
請求項１または２に記載したネットワークシステム。
【請求項４】
前記識別情報が論理アドレスである、
請求項１から３のいずれか一項に記載したネットワークシステム。
【請求項５】
前記サーバ装置および前記端末装置は、Ｄｙｎａｍｉｃ  Ｈｏｓｔ  Ｃｏｎｆｉｇｕｒａｔｉｏｎ  Ｐｒｏｔｏｃｏｌを用いる、
請求項１から４に記載したネットワークシステム。
【請求項６】
複数のネットワーク間の通信を中継する通信装置であって、
前記ネットワークと接続する複数のインターフェース部と、
前記インターフェース部を識別する識別情報の設定変更を検知し、前記設定変更に関する情報である変更情報を前記ネットワークの少なくとも一つが備えるサーバ装置に通知するサーバ情報処理部、
とを備える通信装置。
【請求項７】
複数のネットワークと前記複数のネットワーク間の通信を中継する通信装置を含むネットワークシステムのネットワーク管理方法であって、
前記通信装置が備える、前記ネットワークと接続するインターフェース部を識別する識別情報の設定変更を検知し、
前記設定変更に関する情報である変更情報に基づいて、前記ネットワークが備える端末装置が記憶している前記識別情報の変更を指示する、
ネットワーク管理方法。
【請求項８】
前記識別情報と、前記端末装置を一意に識別する端末識別情報とを関連付けて記憶し、
前記変更情報に従って、前記識別情報と関連付けて記録されている前記端末識別情報を有する前記端末装置が記憶している前記識別情報の変更を指示する
請求項７に記載したネットワーク管理方法。
【請求項９】
コンピュータに、
ネットワークと接続するインターフェース部を識別する識別情報の設定変更を検知する手順と、
前記設定変更に関する情報である変更情報に基づいて、前記ネットワークが備える端末装置が記憶している前記識別情報の変更を指示する手順
を実行させるためのプログラム。
【請求項１０】
コンピュータに、
前記識別情報と、前記端末装置を一意に識別する端末識別情報とを関連付けて記憶する手順と、
前記変更情報に従って、前記識別情報と関連付けて記録されている前記端末識別情報を有する前記端末装置が記憶している前記識別情報の変更を指示する手順
をさらに実行させるための請求項９に記載したプログラム。
【発明の詳細な説明】
【技術分野】
【０００１】
本発明は、通信装置、それを用いたネットワークシステム、およびネットワーク管理方法に関し、特に、端末装置を管理するサーバ装置と接続する通信装置、それを用いたネットワークシステム、およびネットワーク管理方法に関する。
【背景技術】
【０００２】
現在、インターネットにおいて主流となっているネットワーク層のプロトコルはインターネットプロトコル（Ｉｎｔｅｒｎｅｔ  Ｐｒｏｔｏｃｏｌ）である。このインターネットプロトコルを用いたネットワークにおいては、ＩＰアドレスと呼ばれる識別用の番号を用いてネットワーク内の通信装置（ルータ、サーバ、クライアント等）を一意に特定している。しかし、インターネットプロトコルバージョン４においてはＩＰアドレスのデータサイズが４ｂｙｔｅ（＝３２ｂｉｔ）と決められていることから、インターネットの普及に伴ってＩＰアドレスの枯渇が問題となってきた。
【０００３】
このため、家庭や企業内等のネットワーク（プライベートネットワーク）においては、インターネット標準化団体であるＩＥＴＦ（Ｉｎｔｅｒｎｅｔ  Ｅｎｇｉｎｅｅｒｉｎｇ  Ｔａｓｋ  Ｆｏｒｃｅ）が定めた、プライベートＩＰアドレス（ＲＦＣ（Ｒｅｑｕｅｓｔ  ｆｏｒ  Ｃｏｍｍｅｎｔｓ）１９１８）を用いてプライベートネットワーク内の通信装置を一意に特定することが一般的である。
【０００４】
プライベートＩＰの管理には、ネットワーク管理者の負担を軽減する等の目的で、セグメントごとのネットワークアドレスおよび各端末のＩＰアドレスの自動配布および管理を行うＤＨＣＰ(Ｄｙｎａｍｉｃ  Ｈｏｓｔ  Ｃｏｎｆｉｇｕｒａｔｉｏｎ  Ｐｒｏｔｏｃｏｌ）が広く使用されている。ＤＨＣＰはサーバ・クライアント型のプロトコルであり、通信装置を一意に特定するためのネットワーク設定情報であるＩＰアドレス等をサーバからクライアントへ配布する。
【０００５】
特許文献１には、ＤＨＣＰサーバがパソコンに配布するＩＰアドレスを変更する方法の一例が記載されている。特許文献１に記載された方法によれば、ネットワーク内のクライアント機器は同じネットワーク上の他機器から機器情報の通知を受け取ることにより、当該他機器の提供するサービスを利用することができるようになる。サービスの例としては、例えばプリンタ機器の印刷機能等がある。特許文献１に記載されたＩＰアドレス変更方法では、ネットワークに新しく接続された機器は同じネットワーク上の他機器に対し、不特定多数に同じ情報を同時に送るブロードキャスト通信で機器情報の通知を送信するものとしている。
【０００６】
ＤＨＣＰでは、サーバがクライアントに対して能動的に再構成を指示するための、ＦＯＲＣＥＲＥＮＥＷと呼ばれるメッセージがＩＥＴＦによって定義されている（ＲＦＣ３２０３）。
【先行技術文献】
【特許文献】
【０００７】
【特許文献１】特開２０１１−１２４７９６号公報
【発明の概要】
【発明が解決しようとする課題】
【０００８】
上述の特許文献１に記載された関連する通信制御方法においては、デフォルトゲートウェイとして使用するネットワークインターフェースのＩＰアドレスが変更された場合には、クライアントがデフォルトゲートウェイに接続できないという問題があった。ここで、デフォルトゲートウェイとは、所属するネットワークと異なるネットワークに属するコンピュータへアクセスする際に使用する、コンピュータやルータなどのネットワーク機器である。
【０００９】
この問題を解決するために、ＤＨＣＰで用いられるＦＯＲＣＥＲＥＮＥＷメッセージを利用することにより、クライアントがデフォルトゲートウェイに接続できるようにサーバからクライアントに対して設定変更を行う構成とすることが考えられる。しかし、この場合においても、サーバに対してはネットワーク管理者による設定変更が必要となる。
【００１０】
このように、関連する通信制御方法では、ネットワーク機器の設定を変更する場合、ネットワーク機器に接続しているサーバ装置の設定も変更する必要が生じ、ネットワークの管理が煩雑になる、という問題があった。
【００１１】
本発明の目的は、上述した課題である、関連する通信制御方法では、ネットワーク機器の設定を変更する場合、ネットワーク機器に接続しているサーバ装置の設定も変更する必要が生じ、ネットワークの管理が煩雑になる、という課題を解決する通信装置、それを用いたネットワークシステム、およびネットワーク管理方法を提供することにある。
【課題を解決するための手段】
【００１２】
本発明のネットワークシステムは、複数のネットワークと、複数のネットワーク間の通信を中継する通信装置、とを有し、複数のネットワークの少なくとも一つはサーバ装置を備え、複数のネットワークの少なくとも一つは複数の端末装置を備え、通信装置は、ネットワークと接続する複数のインターフェース部と、インターフェース部を識別する識別情報の設定変更を検知し、設定変更に関する情報である変更情報を前記サーバ装置に通知するサーバ情報処理部、とを備え、サーバ装置は、変更情報に基づいて、端末装置が記憶している識別情報の変更を指示する端末情報処理部を備える。
【００１３】
本発明の通信装置は、複数のネットワーク間の通信を中継する通信装置であって、ネットワークと接続する複数のインターフェース部と、インターフェース部を識別する識別情報の設定変更を検知し、設定変更に関する情報である変更情報をネットワークの少なくとも一つが備えるサーバ装置に通知するサーバ情報処理部、とを備える。
【００１４】
本発明のネットワーク管理方法は、複数のネットワークと複数のネットワーク間の通信を中継する通信装置を含むネットワークシステムのネットワーク管理方法であって、通信装置が備える、ネットワークと接続するインターフェース部を識別する識別情報の設定変更を検知し、設定変更に関する情報である変更情報に基づいて、ネットワークが備える端末装置が記憶している識別情報の変更を指示する。
【００１５】
本発明のプログラムは、コンピュータに、ネットワークと接続するインターフェース部を識別する識別情報の設定変更を検知する手順と、設定変更に関する情報である変更情報に基づいて、ネットワークが備える端末装置が記憶している識別情報の変更を指示する手順を実行させる。
【発明の効果】
【００１６】
本発明の通信装置、それを用いたネットワークシステム、およびネットワーク管理方法によれば、ネットワーク機器の設定を変更した場合であっても、ネットワーク機器に接続しているサーバ装置の設定を変更する必要がなく、ネットワークの管理が容易になる。
【図面の簡単な説明】
【００１７】
【図１】本発明の実施形態に係るネットワークシステムの構成を示すブロック図である。
【図２】本発明の実施形態に係る通信装置の構成を示すブロック図である。
【図３】本発明の実施形態に係るサーバ関連情報の一例を示す図である。
【図４】本発明の実施形態に係る通信装置共通記憶部が記憶しているネットワークインターフェース情報の一例を示す図である。
【図５】本発明の実施形態に係るサーバ装置の構成を示すブロック図である。
【図６】本発明の実施形態に係る通信装置関連情報の一例を示す図である。
【図７】本発明の実施形態に係るサーバ装置から端末装置にＤＨＣＰプロトコルを用いて配布される情報の一例を示す図である。
【図８】本発明の実施形態に係る設定情報記憶部が記憶する、サーバが持つ一般的な情報の１つであるネットワーク情報払い出し情報の一例を示す図である。
【図９】本発明の実施形態に係るＩＦ変更通知の一例を示す図である。
【図１０】本発明の実施形態に係るネットワーク管理方法を説明するためのフローチャートである。
【図１１】本発明の他の実施形態に係るネットワークシステムの構成を示すブロック図である。
【図１２】本発明の他の実施形態に係る設定情報記憶部が記憶する、サーバが持つ一般的な情報の１つであるネットワーク情報払い出し情報の一例を示す図である。
【発明を実施するための形態】
【００１８】
以下に、図面を参照しながら、本発明の実施形態について詳細に説明する。
【００１９】
図1は、本発明の実施形態に係るネットワークシステムの構成を示すブロック図である。本実施形態のネットワークシステムは、複数のネットワーク（ｓｕｂｎｅｔＡ，Ｂ，Ｃ）と、複数のネットワーク間の通信を中継する通信装置（Ｒ１）、とを有する。複数のネットワークの少なくとも一つはサーバ装置（Ｓｅｒｖｅｒ  ＳＡ０１）を備え、また、複数のネットワークの少なくとも一つは複数の端末装置（Ｃｌｉｅｎｔ  Ａ０１〜０３,Ｂ１１〜Ｂ１３）を備える。通信装置はネットワークと接続する複数のインターフェース部（ＩＦ１〜３）を備える。
【００２０】
通信装置（Ｒ１）は、インターフェース部を識別する識別情報の設定変更を検知し、この時の設定変更に関する情報である変更情報をサーバ装置に通知するサーバ情報処理部を備える。サーバ装置は、変更情報に基づいて、端末装置（Ａ０１〜０３,Ｂ１１〜Ｂ１３）が記憶している識別情報の変更を指示する端末情報処理部を備える。
【００２１】
図２は、本実施形態に係る通信装置の構成を示すブロック図である。本実施形態の通信装置Ｒ１は、サーバ情報記憶部１０１と、通信装置共通記憶部１０２と、複数のインターフェース部（ＩＦ１〜３）と、サーバ情報処理部１０３と、通信装置共通処理部１０４とを備える。
【００２２】
サーバ情報記憶部１０１は、サーバ装置に関する情報であるサーバ関連情報を記憶する。図３にサーバ関連情報の一例を示す。ここでは「Ａｄｄｒｅｓｓ」および「Ｎａｍｅ」という２種のデータを対応付けて記憶する例を示している。Ａｄｄｒｅｓｓはサーバ装置をネットワーク内で一意に識別する論理アドレスである。Ｎａｍｅはサーバの名称である。
【００２３】
通信装置共通記憶部１０２は、ルータ等の通信装置Ｒ１が持つ一般的な情報を記憶する。図４に通信装置共通記憶部１０２が記憶しているネットワークインターフェース情報の一例を示す。ここでは「Ｉ／Ｆ  Ｎａｍｅ」および「Ａｄｄｒｅｓｓ」という２種のデータを関連付けて記憶している。Ｉ／Ｆ  Ｎａｍｅはインターフェース部の名称である。Ａｄｄｒｅｓｓはインターフェース部をネットワーク内で一意に識別する論理アドレスである。
【００２４】
インターフェース部（ＩＦ１〜３）は、ルータ等の通信装置Ｒ１が持つ一般的なネットワークインターフェースである。
【００２５】
サーバ情報処理部１０３は、インターフェース部（ＩＦ１〜３）の論理アドレス等の識別情報の変更を検知し、サーバ情報記憶部に記憶された全てのサーバ装置に対して、論理アドレスなどのインターフェース部（ＩＦ１〜３）の設定変更内容を通知（ＩＦ変更通知）する。また、サーバ情報記憶部１０１を管理する。
【００２６】
通信装置共通処理部１０４は、ルータ等の通信装置Ｒ１が行う一般的な処理を実行する。
【００２７】
図５は本実施形態に係るサーバ装置の構成を示すブロック図である。本実施形態のサーバ装置ＳＡ０１は、通信装置情報記憶部２０１と、設定情報記憶部２０２と、端末情報処理部２０３と、サーバ共通処理部２０４とを備える。
【００２８】
通信装置情報記憶部２０１は、ルータ等の一般的な通信装置Ｒ１に関する情報である通信装置関連情報を記憶する。図６に通信装置関連情報の一例を示す。ここでは「ＮＥ  ＩＤ」、「Ｉ／Ｆ  Ｎａｍｅ」および「Ａｄｄｒｅｓｓ」という３種のデータを対応付けて記憶する例を示している。ＮＥ  ＩＤは通信装置Ｒ１をネットワーク内で一意に識別する識別子である。Ｉ／Ｆ  Ｎａｍｅはインターフェース部（ＩＦ１〜３）の名称である。Ａｄｄｒｅｓｓはインターフェース部（ＩＦ１〜３）をネットワーク内で一意に識別する論理アドレスである。
【００２９】
設定情報記憶部２０２は、サーバ装置ＳＡ０１が持つ一般的な情報を記憶する。図７に設定情報記憶部が記憶する、サーバ装置が持つ一般的な情報の１つであるＤＨＣＰ設定情報の一例を示す。ここでは「Ｓｕｂｎｅｔ」、「Ｄｅｆａｕｌｔ  Ｒｏｕｔｅｒ」、「Ａｄｄｒｅｓｓ  Ｒａｎｇｅ」、「ＤＮＳ」、の４種のデータを対応付けて記憶する例を示す。Ｄｅｆａｕｌｔ  Ｒｏｕｔｅｒはネットワーク内の端末装置がデフォルトゲートウェイとして使用する通信装置Ｒ１のアドレスを示す。Ａｄｄｒｅｓｓ  Ｒａｎｇｅは端末装置に設定するアドレスの範囲である。ＤＮＳは端末装置が使用するＤＮＳ（Ｄｏｍａｉｎ  Ｎａｍｅ  Ｓｙｓｔｅｍ）サーバ装置を一意に識別できるアドレスである。なお、図７に示した情報はサーバ装置から端末装置にＤＨＣＰプロトコルを用いて配布される情報である。
【００３０】
図８は、設定情報記憶部２０２が記憶する、サーバが持つ一般的な情報の１つであるネットワーク情報払い出し情報の一例である。ここでは「Ｓｔａｒｔ  ｄａｔｅ」、「Ｅｎｄ  ｄａｔｅ」、「Ｃｌｉｅｎｔ  Ａｄｄｒｅｓｓ」、「Ｈａｒｄｗａｒｅ  Ａｄｄｒｅｓｓ」の４種の情報を対応付けて記憶する例を示す。Ｓｔａｒｔ  ｄａｔｅはサーバ装置が端末装置に対して情報を払い出した日時である。Ｅｎｄ  ｄａｔｅはサーバ装置が端末装置に対して情報の払い出しを完了した日時または情報の払い出しを完了する予定の日時である。Ｃｌｉｅｎｔ  Ａｄｄｒｅｓｓは情報を払い出した端末装置をネットワーク内で一意に識別する論理アドレス、Ｈａｒｄｗａｒｅ  Ａｄｄｒｅｓｓは情報を払い出した端末装置をネットワーク内で一意に識別する物理アドレスである。
【００３１】
端末情報処理部２０３は、通信装置Ｒ１からのＩＦ情報変更通知を受け付け、インターフェース部（ＩＦ）を識別する識別情報の変更を検知し、ＤＨＣＰ設定情報を参照して端末装置の設定変更の必要性を判断する。その結果、端末装置の設定変更が必要と判断した場合には、サーバ共通処理部２０４に対して、対象となる端末装置へＦＯＲＣＥＲＥＮＥＷメッセージを送るように指示する。
【００３２】
サーバ共通処理部２０４は、ＤＨＣＰが備えるＦＯＲＣＥＲＥＮＥＷ機能（ＲＦＣ３２０３）を用いることができる。
【００３３】
図９にＩＦ変更通知の一例を示す。上述の通り、通信装置Ｒ１は、ネットワーク（ｓｕｂｎｅｔＡ，Ｂ，Ｃ）と接続する複数のインターフェース部（ＩＦ１〜３）に変更があった場合、事前に登録されたサーバにそのことを通知する（ＩＦ変更通知）。ＩＦ変更通知には、ネットワーク内でルーターを一意に識別する識別情報であるＲｏｕｔｅｒ  ＩＤ、および変更されるインターフェース部（ＩＦ１〜３）の名称であるＩＦ  Ｎａｍｅ、変更後のアドレスを示すＡｄｄｒｅｓｓが含まれる。なお、クライアントである各端末装置は、ＤＨＣＰの標準仕様であるＦＯＲＣＥＥＮＥＷ機能（ＲＦＣ３２０３）をサポートしている。
【００３４】
次に、本実施形態に係るネットワーク管理方法について説明する。
【００３５】
図１０は、本実施形態に係るネットワーク管理方法を説明するためのフローチャートである。
【００３６】
まず、通信装置（Ｒ１）の動作について説明する。
【００３７】
通信装置共通処理部１０４はインターフェース部（ＩＦ）のＡｄｄｒｅｓｓを変更するために、通信装置共通記憶部１０２のインターフェース情報を更新する（ステップＦ１１）。 
例えば、インターフェース部ＩＦ１のＡｄｄｒｅｓｓをＡｄｄｒｅｓｓ０１からＡｄｄｒｅｓｓ１１に変更する。これに基いてサーバ情報処理部１０３はインターフェース部ＩＦの設定変更を検出する（ステップＦ１２）。 すなわちＩＦ１のＡｄｄｒｅｓｓがＡｄｄｒｅｓｓ０１からＡｄｄｒｅｓｓ１１に変更されたことを検出する。
【００３８】
サーバ情報処理部１０３は、サーバ情報記憶部１０１のＤＨＣＰ関連情報に記憶された全てのサーバ装置に対して、インターフェース部（ＩＦ１〜３）の設定変更内容を通知(ＩＦ変更通知)する（ステップＦ１３）。具体的には、サーバ情報処理部１０３は、ＩＦ変更通知をＡｄｄｒｅｓｓ５１とＡｄｄｒｅｓｓ５２のサーバ装置に送付する。ここで、ＩＦ変更通知には、（Ｒｏｕｔｅｒ  ＩＤ，  ＩＦ  Ｎａｍｅ，  Ａｄｄｒｅｓｓ）＝（Ｒ１，  ＩＦ１，  Ａｄｄｒｅｓｓ１１）が含まれる。
【００３９】
次に、サーバ装置ＳＡ０１の動作について説明する。
【００４０】
端末情報処理部２０３は、受信したＩＦ変更通知に従い、通信装置情報記憶部２０１の通信装置関連情報を更新する（ステップＦ２１）。具体的には、Ａｄｄｒｅｓｓ０１をＡｄｄｒｅｓｓ１１に変更する。そして、端末情報処理部２０３は、ステップＦ２１で変更される前のＡｄｄｒｅｓｓがＤＨＣＰ設定情報記憶部が記憶しているＤＨＣＰ設定情報のＤｅｆａｕｌｔ  Ｒｏｕｔｅｒに記載されているか確認する（ステップＦ２２）。
【００４１】
図７で示した例では、設定情報記憶部２０１が記憶しているＤＨＣＰ設定情報のＳｕｂｎｅｔ  ＡのＤｅｆａｕｌｔ  ＲｏｕｔｅｒのアドレスはＡｄｄｒｅｓｓ０１であるので、端末情報設定変更処理部は、ステップＦ２１で変更される前のアドレスと一致することを確認する。
【００４２】
ここで、ＤＨＣＰ設定情報として当該アドレスが記載されていない場合、処理を終了する（ステップＦ２３）。 
図７に示したように、当該アドレスが記載されている場合、端末情報処理部２０３は、設定情報記憶部２０２のＤＨＣＰ設定情報のＤｅｆａｕｌｔ  Ｒｏｕｔｅｒの値を通知されたアドレスに変更する。また端末情報処理部２０３は、設定情報記憶部２０２のＤＨＣＰ設定情報とネットワーク情報払い出し情報を参照し、ＤＨＣＰ設定情報のＡｄｄｒｅｓｓ  Ｒａｎｇｅのアドレス範囲内で払い出し済みのアドレスを特定する（ステップＦ２４）。 
図７に示したＤＨＣＰ設定情報および図８に示したネットワーク情報払い出し情報の例では、Ｓｕｂｎｅｔ  ＡのＡｄｄｒｅｓｓ  Ｒａｎｇｅが１９２．１６８．０．５−２５であり、そのアドレス範囲で実際に払い出されたアドレスは１９２．１６８．０．５と１９２．１６８．０．６の２つであることを、端末情報処理部２０３は特定する。
【００４３】
サーバ共通処理部２０４は、ステップＦ２４で特定した端末装置ＳＡ０１に対してＦＯＲＣＥＲＥＮＥＷメッセージを送信する（ステップＦ２５）。つまり、サーバ共通処理部２０４は、ステップＦ２４で特定した１９２．１６８．０．５と１９２．１６８．０．６のアドレスのＤＨＣＰクライアントに対してＦＯＲＣＥＲＥＮＥＷメッセージを送信する。ここで、ＦＯＲＣＥＲＥＮＥＷメッセージ送信処理はＲＦＣ３２０３に従った標準的な処理である。
【００４４】
サーバ共通処理部２０４は、ＲＦＣ３２０３に従い端末装置のネットワーク情報更新処理を実行する（ステップＦ２６）。
【００４５】
最後に、端末装置の動作について説明する。
【００４６】
端末装置は、サーバ装置ＳＡ０１からＦＯＲＣＥＲＥＮＥＷメッセージを受信する（ステップＦ３１）と、ネットワーク情報更新処理を実行する（ステップＦ３２）。本処理はＲＦＣ３２０３に従った標準的な処理である。
【００４７】
上述した本実施形態の通信装置、それを用いたネットワークシステム、およびネットワーク管理方法によれば、ネットワーク機器の設定を変更した場合であっても、ネットワーク機器に接続しているサーバ装置の設定を変更する必要がなく、ネットワークの管理が容易になる。
【００４８】
具体的には、デフォルトゲートウェイとして使用するインターフェースのＩＰアドレスが変更された場合に、クライアント（端末装置）がデフォルトゲートウェイに接続できなくなることを防ぐことができる。また、ネットワーク管理者の指示を介することなくサーバ装置からクライアントに対して設定変更を行うことができる。すなわち、通信装置のネットワークインターフェースのＩＰアドレスの変更を、通信装置からサーバ装置に通知し、サーバ装置が通信装置のネットワークインターフェースのＩＰアドレスの変更を検出する。そして、サーバ装置がクライアントに対してＦＯＲＣＥＲＥＮＥＷメッセージを送ることにより、クライアントがネットワーク情報を更新することができる。
【００４９】
また、上述した課題を解決するためにクライアントに機能を追加する必要がない。その理由は、通信装置とサーバ装置に機能追加を行い、サーバ装置とクライアントは標準仕様であるＦＯＲＣＥＲＥＮＥＷ機能（ＲＦＣ３２０３）を利用するためである。
【００５０】
次に、本発明の他の実施形態について図面を参照して説明する。
【００５１】
図１１は本発明の他の実施形態に係るネットワークシステムの構成を示すブロック図である。図１と比較すると、ネットワークｓｕｂｎｅｔＢにおいてサーバ装置ＳＢ０１を含まない構成である。この実施形態においては、通信装置Ｒ１がＤＨＣＰ  Ｒｅｌａｙ  Ａｇｅｎｔとして機能する。また、この実施形態においても、上述の実施形態と同様に、サーバ装置における通信装置関連情報で管理対象のネットワークの全ての通信装置と全てのインターフェース部の情報を管理できる。また、サーバ装置のＤＨＣＰ設定情報においてネットワークｓｕｂｎｅｔ  Ａに加えて図１２に示すようなネットワークｓｕｂｎｅｔ  Ｂに関する情報をそれぞれ管理する。その他の構成は上述の実施形態と同様である。これにより、上述の実施形態と同様の効果を奏することができる。
【００５２】
上述したネットワーク管理方法をコンピュータに実行させることとしてもよい。すなわち、コンピュータに、ネットワークと接続するインターフェース部を識別する識別情報の設定変更を検知する手順と、設定変更に関する情報である変更情報に基づいて、ネットワークが備える端末装置が記憶している前記識別情報の変更を指示する手順を実行させることができる。また、コンピュータに、
識別情報と、端末装置を一意に識別する端末識別情報とを関連付けて記憶する手順と、変更情報に従って、識別情報と関連付けて記録されている端末識別情報を有する端末装置が記憶している識別情報の変更を指示する手順をさらに実行させることとしてもよい。
【００５３】
本発明は上記実施形態に限定されることなく、特許請求の範囲に記載した発明の範囲内で、種々の変形が可能であり、それらも本発明の範囲内に含まれるものであることはいうまでもない。
【符号の説明】
【００５４】
Ｒ１    通信装置
ｓｕｂｎｅｔＡ，Ｂ，Ｃ    ネットワーク
ＳＡ０１    サーバ装置
Ａ０１〜０３,Ｂ１１〜Ｂ１３    端末装置
ＩＦ１〜３    インターフェース部
１０１    サーバ情報記憶部
１０２    通信装置共通記憶部
１０３    サーバ情報処理部
１０４    通信装置共通処理部
２０１    通信装置情報記憶部
２０２    設定情報記憶部
２０３    端末情報処理部
２０４    サーバ共通処理部
【図１】
2015056842.tif 000003
【図２】
2015056842.tif 000004
【図３】
2015056842.tif 000005
【図４】
2015056842.tif 000006
【図５】
2015056842.tif 000007
【図６】
2015056842.tif 000008
【図７】
2015056842.tif 000009
【図８】
2015056842.tif 000010
【図９】
2015056842.tif 000011
【図１０】
2015056842.tif 000012
【図１１】
2015056842.tif 000013
【図１２】
2015056842.tif 000014